(57)【要約】【課題】ユーザに手間をかけさせずに、現在位置情報に対応した位置連携情報を取得する携帯通信端末、情報活用システム、情報活用方法、プログラム及び記録媒体を提供する。【解決手段】自己の現在位置情報を取得する位置情報取得手段と、前記取得した現在位置情報を送信する送信手段と、前記現在位置情報に対応した位置連携情報を受信する受信手段と、前記受信した位置連係情報を予め定めた方法で活用する位置連携情報活用手段と、前記活用された位置連携情報を表示する表示手段と、を備えることを特徴とする。【選択図】図２
2010128764.tif 000002
【特許請求の範囲】
【請求項１】
自己の現在位置情報を取得する位置情報取得手段と、
前記取得した現在位置情報を送信する送信手段と、
前記現在位置情報に対応した位置連係情報を受信する受信手段と、
前記受信した位置連係情報を予め定めた方法で活用する位置連係情報活用手段と、
前記活用された位置連係情報を表示する表示手段と、
を備えることを特徴とする携帯通信端末。
【請求項２】
前記位置情報取得手段による現在位置情報の取得タイミングは、予め定められた一定時間毎に行うことを特徴とする請求項１記載の携帯通信端末。
【請求項３】
前記位置情報取得手段による現在位置情報の取得タイミングは、取得実行命令が操作手段を介して行われた場合をトリガとすることを特徴とする請求項１記載の携帯通信端末。
【請求項４】
前記取得実行命令が行われた履歴を記憶するユーザ履歴記憶手段と、
前記ユーザ履歴を反映し、前記位置情報取得手段による現在位置情報の取得タイミングを設定する取得タイミング設定手段と、
を備えることを特徴とする請求項３記載の携帯通信端末。
【請求項５】
前記送信手段による送信のタイミングは、前記取得した現在位置情報が、前回取得した現在位置情報と異なっていた場合をトリガとすることを特徴とする請求項１から４のいずれか１項記載の携帯通信端末。
【請求項６】
前記受信手段で受信した位置連係情報をフィルタリングして選別する選別手段を備え、
前記位置連係情報活用手段は、前記選別された位置連係情報を活用することを特徴とする請求項１から５のいずれか１項記載の携帯通信端末。
【請求項７】
前記フィルタリングは、前記携帯通信端末を用いて過去に行われた操作履歴から判明するユーザ嗜好や目的を反映することを特徴とする請求項６記載の携帯通信端末。
【請求項８】
前記フィルタリングは、ユーザにより予め設定されていることを特徴とする請求項６記載の携帯通信端末。
【請求項９】
位置連係情報活用手段は、前記位置連係情報を電話帳形式で登録することを特徴とする請求項１から８のいずれか１項記載の携帯通信端末。
【請求項１０】
位置連係情報活用手段は、前記位置連係情報を地図アプリケーションに登録し、
前記表示手段は、前記登録された位置連係情報を、それぞれ地図上の適切な位置に表示させることを特徴とする請求項１から８のいずれか１項記載の携帯通信端末。
【請求項１１】
位置連係情報活用手段は、過去に取得して登録した位置連係情報と異なっていた場合は、登録情報を更新することを特徴とする請求項９又は１０記載の携帯通信端末。
【請求項１２】
携帯通信端末と、情報提供サーバとが、ネットワークを介して接続されている情報活用システムであって、
前記携帯通信端末は、
自己の現在位置情報を取得する位置情報取得手段と、
前記取得した現在位置情報を、前記情報提供サーバに送信する送信手段と、
前記現在位置情報に対応した位置連係情報を、前記情報提供サーバから受信する受信手段と、
前記受信した位置連係情報を予め定めた方法で活用する位置連係情報活用手段と、
を備え、
前記情報提供サーバは、
位置に応じた情報である位置連係情報を記憶する位置連係情報記憶手段と、
前記携帯通信端末から送信された前記携帯通信端末の現在位置に応じた位置連係情報を前記携帯通信端末に送る送受信手段と、
を備えることを特徴とする情報活用システム。
【請求項１３】
自己の現在位置情報を取得するステップと、
前記取得した現在位置情報を送信するステップと、
前記現在位置情報に対応した位置連係情報を受信するステップと、
前記受信した位置連係情報を予め定めた方法で活用するステップと、
を備えることを特徴とする情報活用方法。
【請求項１４】
自己の現在位置情報を取得する処理と、
前記取得した現在位置情報を送信する処理と、
前記現在位置情報に対応した位置連係情報を受信する処理と、
前記受信した位置連係情報を予め定めた方法で活用する処理と、
をコンピュータに実行させることを特徴とする情報活用プログラム。
【請求項１５】
請求項１４記載の情報活用プログラムの処理を記録するコンピュータ読取り可能な記録媒体。
【発明の詳細な説明】
【技術分野】
【０００１】
本発明は、携帯通信端末、情報活用システム、情報活用方法、プログラム及び記録媒体に関し、特に現在位置情報に対応した位置連係情報を取得する携帯通信端末、情報活用システム、情報活用方法、プログラム及び記録媒体に関する。
【背景技術】
【０００２】
携帯電話、ＰＨＳ（Personal Handy-phone System）、ＰＤＡ（携帯情報端末）等の携帯通信端末の普及により、ユーザは常時携帯して携帯通信端末からインターネットを介して種々の情報に随時アクセスすることが出来る。携帯通信端末を利用した技術としては、例えば会議のスケジュールを記憶しておき、会議の時刻が近付いてきた場合に、その旨を会議の開始時刻、場所、議題などとともに、携帯通信端末を介してユーザに通知する等、予め定めた時刻や場所を契機として所定の情報を提供する技術が提案されている（特許文献１参照）。
【０００３】
また、グルメ情報やショッピング情報等、ユーザがその場で即座に情報が欲しい状況の際には、情報データベースにネットワークを介してアクセスし、現在の位置情報を参照して欲しい情報を探索する。例えば、現在位置の周辺で食事をしたいと思ったとき、携帯通信端末に「レストラン」の文字をキーワードとして入力し、現在位置はＧＰＳ（Global Positioning Systems）装置にて検出され、携帯通信端末はデータベースにアクセスし、キーワードと現在位置の情報を出力することで、現在位置から所定の距離の範囲内の位置情報が対応されているＵＲＬ（すなわちレストラン）を取得することが出来る（特許文献２参照）。
【特許文献１】特開２００４−６４３２１号公報
【特許文献２】特開２００５−４７８２号公報
【発明の開示】
【発明が解決しようとする課題】
【０００４】
しかしながら、上記したように、ネットワークを介してデータベースにアクセスし、現在の位置情報から欲しい情報を探索していると、情報取得までに時間を要するという問題がある。
【０００５】
本発明はこのような状況に鑑みてなされたものであり、ユーザに手間をかけさせずに、現在位置情報に対応した位置連係情報を取得することを目的とする。
【課題を解決するための手段】
【０００６】
本発明に係る携帯通信端末は、自己の現在位置情報を取得する位置情報取得手段と、前記取得した現在位置情報を送信する送信手段と、前記現在位置情報に対応した位置連係情報を受信する受信手段と、前記受信した位置連係情報を予め定めた方法で活用する位置連係情報活用手段と、前記活用された位置連係情報を表示する表示手段と、を備えることを特徴とする。
【０００７】
本発明に係る情報活用システムは、携帯通信端末と、情報提供サーバとが、ネットワークを介して接続されている情報活用システムであって、前記携帯通信端末は、自己の現在位置情報を取得する位置情報取得手段と、前記取得した現在位置情報を、前記情報提供サーバに送信する送信手段と、前記現在位置情報に対応した位置連係情報を、前記情報提供サーバから受信する受信手段と、前記受信した位置連係情報を予め定めた方法で活用する位置連係情報活用手段と、を備え、前記情報提供サーバは、位置に応じた情報である位置連係情報を記憶する位置連係情報記憶手段と、前記携帯通信端末から送信された前記携帯通信端末の現在位置に応じた位置連係情報を前記携帯通信端末に送る送受信手段と、を備えることを特徴とする。
【０００８】
本発明に係る情報活用方法は、自己の現在位置情報を取得するステップと、前記取得した現在位置情報を送信するステップと、前記現在位置情報に対応した位置連係情報を受信するステップと、前記受信した位置連係情報を予め定めた方法で活用するステップと、を備えることを特徴とする。
【０００９】
本発明に係る情報活用プログラムは、自己の現在位置情報を取得する処理と、前記取得した現在位置情報を送信する処理と、前記現在位置情報に対応した位置連係情報を受信する処理と、前記受信した位置連係情報を予め定めた方法で活用する処理と、をコンピュータに実行させることを特徴とする。
【００１０】
本発明に係る記録媒体は、上記本発明に係る情報活用プログラムの処理を記録するコンピュータ読取り可能な記録媒体である。
【発明の効果】
【００１１】
本発明によれば、ユーザに手間をかけさせずに、現在位置情報に対応した位置連係情報を取得することができる。
【発明を実施するための最良の形態】
【００１２】
以下に、本発明の実施形態について図面を用いて詳細に説明する。なお、以下に述べる実施形態は、本発明の好適な実施形態であるから、技術的に好ましい種々の限定が付されているが、本発明の範囲は、以下の説明において特に本発明を限定する旨の記載がない限り、これらの態様に限られるものではない。
【００１３】
本明細書において、位置連係情報とは、携帯通信端末の現在位置周辺の様々な情報であり、例えばグルメ情報、ショッピング情報、ランドマーク情報等が含まれ、広く周辺情報とも称される。
【００１４】
（構成）
本発明は、携帯電話端末やＰＨＳ（Personal Handy-phone System）、ＰＤＡ（Personal Digital Assistant；携帯情報端末）等の携帯通信端末において、位置連携した周辺情報を該携帯通信端末に取得し、それらの情報を表示・活用することを特徴とする。具体的には、ユーザの位置に連携した周辺情報が自動的に携帯通信端末内アプリケーションにて表示・活用される。更に、位置に連携した周辺情報がアプリケーション内で自動的に変化するため、情報が蓄積され続けることなく、且つ、情報取得時に必要な情報を活用（保存等）することも可能である。以下説明する実施形態においては、取得した周辺情報を電話帳のデータ形式で活用し、電話帳のデータが自動的に更新されることを例に挙げて説明する。
【００１５】
図１は、本発明の実施形態に係る携帯通信端末のブロック構成図である。携帯通信端末１０１は、ＣＰＵ（Central Processing Unit）１０３を内蔵した制御部１０２、無線部１０４、アンテナ１０５、音声入力部１０６、音声出力部１０７、スピーカ１０８、表示部１０９、操作部１１０、位置連係情報活用部１１１、位置情報取得部１１２、から構成される。
【００１６】
携帯通信端末１０１は、ＣＰＵ１０３を内蔵した制御部１０２によって各部を制御する。
【００１７】
無線部１０４は、アンテナ１０５を介し、携帯通信端末の基地局との通信（音声通信やネットワーク通信）を行う。
【００１８】
音声入力部１０６は、通話時に自分の音声を入力する。音声出力部１０７は、通話時に相手の音声を出力する。
【００１９】
スピーカ１０８は、電話の着信音やユーザ通知の警告音を出力する。
【００２０】
表示部１０９は、ユーザ通知の警告画面の表示やユーザインタフェースを提供する。
【００２１】
操作部１１０は、表示部１０９のユーザインタフェースに従い、電話発信、電話着信、メール送受信、インターネット接続などの操作を行う。
【００２２】
位置連係情報活用部１１１は、無線部１０４から取得した位置情報に連携した周辺情報（グルメ情報、ショッピング情報等）を取得し、表示部１０９に送信する。
【００２３】
表示部１０９は、送信された周辺情報を画面に表示する。
【００２４】
ユーザが操作部１１０に入力した操作に従い、位置連係情報活用部１１１にて位置連係情報（周辺情報）が利用される（保存、電話発信、メール送信等）。
【００２５】
位置情報取得部１１２は、ＧＰＳ（Global Positioning Systems）等を用いて、携帯通信端末の現在位置を測定する。
【００２６】
位置情報連携活用部１１１は位置情報を選択するフィルタリング機能を持ち、そのフィルターに適した情報を選択する。更に、位置情報に連携し変化する周辺情報に対しフィルタリング機能を実行する。
【００２７】
（動作処理）
次に、本実施形態の動作処理について説明する。図２は、本実施形態に係る動作処理を示すフローチャートである。
【００２８】
本実施形態では、無線部１０４及びアンテナ１０５を介してネットワークに接続し、位置連係情報の提供サーバと通信を行う。本実施形態においては、具体例として、周辺情報を電話帳に登録して活用する方法を説明するが、本発明はこれに限られることはなく、周辺情報を予め定めた方法で活用するように設定し、各種アプリケーションで利用できる。
【００２９】
携帯通信端末１０１は、位置情報取得部１１２によって携帯通信端末の現在位置を測定し、位置連係情報提供サーバへ送信する（ステップＳ２０１）。
【００３０】
位置連係情報提供サーバは、携帯通信端末１０１から受信した現在位置に基づき、その位置の周辺情報をデータベースから抽出し、携帯通信端末１０１に送信する。図３は、情報提供サーバのデータベースが保持している周辺情報の一例を示す図である。データベースに登録されている周辺情報は、所定の範囲毎に分類されており、例えば、○○区×丁目という単位で記憶されている。また、周辺情報は、携帯通信端末１０１の電話帳に登録できるフォーマットで構成されている（ステップＳ２０２、２０３）。
【００３１】
携帯通信端末１０１の位置連係情報活用部１１１は、受信した周辺情報（グルメ情報、ショッピング情報等）にフィルタリングをかけ、取得情報を選別しても良い（ステップＳ２０４、２０５）。選別方法としては、ユーザ嗜好を踏まえた自動選択やユーザ自らが予め選別する情報の種類を設定しておくことが考え得る。自動選択の場合は、例えば携帯通信端末１０１を用いて過去に行われた操作履歴から判明するユーザ嗜好や目的を反映させるようにしても良い。
【００３２】
取得した周辺情報（位置連係情報）を、位置連係情報活用部１１１にて活用する。本実施形態では、電話帳形式に登録する。本実施形態に係る携帯通信端末１０１の電話帳には、位置連係情報を登録するためのグループ（位置情報グループと称する）が予め設定しておき、フィルタリングされた周辺情報を位置情報グループに登録する（ステップＳ２０６）。
【００３３】
電話帳に登録された情報は、ユーザが電話帳アプリケーションを起動することによって、表示部１０９にて表示される（ステップＳ２０７）。図４及び図５は、アプリケーションが電話の場合の情報表示イメージ図である。イメージ図では、個人の電話帳情報に位置連係情報が混在して表示され、グループ表示に切り替えた場合に位置連係情報のみ分けられて表示されている。図４及び図５に示す表示方法は一例であり、本発明はこれに限られることはなく、様々な表示方法が考え得る。
【００３４】
表示された周辺情報に対して、ユーザ操作に従って電話をかけたり、メールを送ったり等することが考えられる。また、保存しておきたい情報は、別の任意のグループにデータを登録しても良い。
【００３５】
上述した位置連係情報の取得は、現在位置が変化した際に取得するようにしても良いし、一定時間毎に行うようにしても良い。
【００３６】
現在位情報の取得タイミングは様々考えられ、特に限定しないが、具体例としては例えば、予め定められた一定時間毎に行う方法、ユーザ履歴から取得時間帯を自動設定する方法、取得実行命令が操作部１１０を介して行われた場合をトリガとする方法、が考え得る。ユーザ履歴から取得時間帯を自動設定する方法は、例えば上述した取得実行命令が行われた履歴を記憶するユーザ履歴記憶部を備え、該ユーザ履歴を反映して取得タイミングを設定しても良い。また、位置連係情報を一定時間毎に取得する場合は、現在位置情報の取得は、位置連係情報取得のタイミングに合わせて行われる。
【００３７】
位置連係情報活用部１１１は、このように取得した位置連係情報が、前回取得して登録した情報と比較して変化していた場合は、電話帳を更新（上書き）する。
【００３８】
上記実施形態により、グルメ情報やショッピング情報等、ユーザがその場で即座に情報が欲しい状況の際に、位置情報に連携した周辺情報（グルメ情報、ショッピング情報等）が自動的に携帯通信端末に取得され、携帯通信端末内のアプリケーションで表示・活用できることで、ユーザの少ない手間で、欲しい情報を取得することが可能である。さらに、位置に連携し、周辺情報が自動的に変化するため、携帯通信端末内の情報が蓄積し続けることもなく、且つ、ユーザは情報入手の際に、少ない手間で欲しい情報を保存することが可能である。
【００３９】
（他の実施形態）
次に、本発明の他の実施形態としては、位置連係情報活用部１１１による位置連係情報の活用が電話帳への登録ではなく、若しくは電話帳への登録に加えて、地図アプリケーションに登録しても良い。登録された位置連係情報は、それぞれ地図上の適切な位置に表示される。
【００４０】
これにより、ユーザは各周辺情報がどの場所に関する情報であるのかを一目で確認でき、より利便性が向上される。
【００４１】
なお、図２のフローチャートに示す処理を、ＣＰＵが実行するためのプログラムは本発明によるプログラムを構成する。このプログラムを記録する記録媒体としては、半導体記憶部や光学的及び／又は磁気的な記憶部等を用いることができる。このようなプログラム及び記録媒体を、前述した各実施形態とは異なる構成のシステム等で用い、そこのＣＰＵで上記プログラムを実行させることにより、本発明と実質的に同じ効果を得ることができる。
【００４２】
以上、本発明を好適な実施形態に基づき具体的に説明したが、本発明は上記のものに限定されるものではなく、その要旨を逸脱しない範囲で種々変更可能であることは言うまでもない。
【図面の簡単な説明】
【００４３】
【図１】本発明の実施形態に係る携帯通信端末のブロック構成図である。
【図２】本発明の実施形態に係る動作処理を示すフローチャートである。
【図３】本発明の実施形態に係る提供サーバのデータベースが保持している周辺情報の一例を示す図である。
【図４】本発明の実施形態に係る情報表示イメージ図である。
【図５】本発明の実施形態に係る情報表示イメージ図である。
【符号の説明】
【００４４】
１０１    携帯通信端末
１０３    ＣＰＵ
１０２    制御部
１０４    無線部
１０５    アンテナ
１０６    音声入力部
１０７    音声出力部
１０８    スピーカ
１０９    表示
１１０    部操作部
１１１    位置連係情報活用部
１１２    位置情報取得部
【図１】
2010128764.tif 000003
【図２】
2010128764.tif 000004
【図３】
2010128764.tif 000005
【図４】
2010128764.tif 000006
【図５】
2010128764.tif 000007